(57)【要約】【課題】ロック構造を有しつつ、自動実装のための被吸着面を確保したロック部付きコネクタを提供する。【解決手段】コネクタ１１は、配線基板２上に表面実装されるものであり、ロック係合部８２を有する電線付きコネクタ２１と嵌合可能なコネクタハウジング５０と、このコネクタハウジングに収容され、電線付きコネクタ２１の端子金具９０と接触するとともに、配線基板２に接合されるコンタクト６０とを備えている。コネクタハウジング５０は、コンタクト６０を収容するコンタクト収容部５５と、このコンタクト収容部５５を区画する中間壁５６の上面に形成されたロック部５７と、このロック部５７の上方に設けられその上面に吸着部材による吸着のための平坦な被吸着面５８ａを有する天面壁５８とを備えている。【選択図】        図４
2005026156.tif 000002
【特許請求の範囲】
【請求項１】
配線基板上に実装されるコネクタであって、
ロック係合部を有する相手側コネクタと嵌合可能なコネクタハウジングと、
このコネクタハウジングに収容され、上記相手側コネクタの端子と接触するとともに、配線基板に接合されるコンタクトとを含み、
上記コネクタハウジングは、配線基板側に配置され上記コンタクトを収容するコンタクト収容部と、このコンタクト収容部を区画する中間壁の上面に形成され上記相手側コネクタの上記ロック係合部と係合するロック部と、このロック部の上方に設けられその上面に吸着部材による吸着のための平坦な被吸着面を有する天面壁とを備えていることを特徴とするロック部付きコネクタ。
【請求項２】
上記中間壁と上記天面壁との間に、上記相手側コネクタのロック係合部を受け入れるロック係合部挿入孔が形成されていることを特徴とする請求項１記載のロック部付きコネクタ。
【請求項３】
請求項１または２記載のロック部付きコネクタが実装された配線基板と、
上記ロック部付きコネクタに結合され、上記ロック部と係合するロック係合部を有する電線付きコネクタと、
上記配線基板、上記電線付きコネクタおよびこの電線付きコネクタに結合された配線を収容する筐体とを含む電子・電気機器。
【発明の詳細な説明】
【０００１】
【発明の属する技術分野】
この発明は、配線基板に実装されるコネクタに関し、とくに、相手側コネクタのロック係合部と係合するロック部を有するコネクタに関する。また、この発明は、このようなコネクタが実装された配線基板を備えた電子・電気機器に関する。
【０００２】
【従来の技術】
自動実装に対応した表面実装型のコネクタは、エンボスキャリアテープに収容された状態で市場に供給される。エンボスキャリアテープは、表面実装型コネクタを一個ずつ収容する容器状のケース部を連成した帯状のキャリアテープ本体と、ケース部を覆うようにキャリアテープ本体に剥離可能に貼り合わされた帯状の保護シートとからなる。
【０００３】
表面実装型コネクタを配線基板上に自動実装するための自動実装機は、表面実装型コネクタを吸着保持する吸着部材（たとえばエアノズル）を備えている。この自動実装機は、保護シートを剥離しながらエンボスキャリアテープを順送りする一方で、吸着部材によって、ケース部内の表面実装型コネクタを取り出して配線基板上の所定位置に配置するように動作する。
表面実装型コネクタを吸着部材によって確実に吸着保持するためには、表面実装型コネクタには、吸着部材による上方からのアクセスが可能な位置に２ｍｍ〜３ｍｍ四方程度以上の大きさの平坦な被吸着面が確保されている必要がある。
【０００４】
一方、液晶表示装置などの電子・電気機器では、配線基板上でのコネクタの占有面積を最小化する目的で、コンタクト間ピッチの狭い（たとえば１．２５ｍｍピッチ）表面実装型コネクタが用いられることが多い。液晶表示装置に用いられる表面実装型コネクタは、現在に至るまで、相手側コネクタ（電線側コネクタ）とのロック構造がなく、コネクタ同士の嵌合によって電気接続を維持するものが用いられてきている。これは、液晶表示装置が、通常の使用状態において、外部からの大きな衝撃を受けることがないと考えられるからである。
【０００５】
しかし、液晶表示装置の大画面化に伴い、装置内の配線数が増大してくると、配線の引き回しにより、配線からの大きな力がコネクタにかかり、電線側コネクタが基板側のコネクタから外れてしまう事態が懸念されるに至っている。
そこで、液晶表示装置などの電子・電気機器において、ロック構造付きのコネクタの採用が検討されている。より具体的には、基板側のコネクタのハウジングの天面にロック突部を突設するとともに、電線側コネクタに上記ロック突部と係合するロック爪部を設け、両コネクタの嵌合時にロック爪部とロック突部とを係合するような構造が考えられる。
【０００６】
【特許文献１】
特開平１１−２７３８０３号公報
【０００７】
【発明が解決しようとする課題】
ところが、コンタクト間ピッチの狭い基板側コネクタのハウジングの天面にロック突部を突設すると、このハウジングの天面に、自動実装機の吸着部材による吸着のための被吸着面を確保することが極めて困難になる。とくに、コンタクト数の少ない幅狭のコネクタの場合には、被吸着面を確保することができず、自動実装が不可能になってしまうから、電子・電気機器の組立て性が著しく悪化する。
【０００８】
この問題を解決するために、基板側コネクタのハウジングの側部にロック突部を形成することが考えられるが、これでは、配線基板上におけるコネクタの占有面積が大きくなるから、配線基板上における電子・電気部品のレイアウトが大きく制限される。
また、ハウジングの配線基板側には、配線基板に半田接合されるコンタクトが位置しているから、配線基板側にロック突部を設けることはできない。もっとも、配線基板側にロック突部を設ければ、電線側コネクタのロック爪部も配線基板側に配置されることになるから、ロック爪部とロック突部との係合解除が著しく困難になるであろう。
【０００９】
そこで、この発明の目的は、ロック構造を有しつつ、自動実装のための被吸着面を確保したロック部付きコネクタを提供することである。
また、この発明の他の目的は、このようなロック部付きコネクタが実装された配線基板を有する電子・電気機器を提供することである。
【００１０】
【課題を解決するための手段】
上記の目的を達成するための請求項１記載の発明は、配線基板（２）上に実装されるコネクタ（１１，１２，１３）であって、ロック係合部（８２）を有する相手側コネクタ（２１，２２，２３）と嵌合可能なコネクタハウジング（５０）と、このコネクタハウジングに収容され、上記相手側コネクタの端子（９０）と接触するとともに、配線基板に接合されるコンタクト（６０）とを含み、上記コネクタハウジングは、配線基板側に配置され上記コンタクトを収容するコンタクト収容部（５５）と、このコンタクト収容部を区画する中間壁（５６）の上面に形成され上記相手側コネクタの上記ロック係合部と係合するロック部（５７，７７，７８）と、このロック部の上方に設けられその上面に吸着部材（７０）による吸着のための平坦な被吸着面（５８ａ）を有する天面壁（５８）とを備えていることを特徴とするロック部付きコネクタである。なお、括弧内の英数字は後述の実施形態における対応構成要素等を表す。以下、この項において同じ。
【００１１】
上記の構成によれば、配線基板から見てロック部の上方に天面壁が設けられていて、この天面壁の上面に平坦な被吸着面が形成されている。この被吸着面を自動実装機の吸着部材で吸着保持することによって、この発明のロック部付きコネクタの自動実装が可能になる。
しかも、ロック部は、コンタクト収容部を区画する中間壁の上面に形成されているので、ロック部として、中間壁から突出するロック突部を設けた場合でも、配線基板上におけるコネクタの専有面積が大きくなることもない。
【００１２】
請求項２記載の発明は、上記中間壁と上記天面壁との間に、上記相手側コネクタのロック係合部を受け入れるロック係合部挿入孔（５９）が形成されていることを特徴とする請求項１記載のロック部付きコネクタである。
この構成によれば、相手側コネクタを嵌合させると、中間壁と天面壁との間に形成されたロック係合部挿入孔に当該相手側コネクタのロック係合部が受け入れられ、このロック係合部とロック部とが係合されて、両コネクタがロック状態となる。したがって、ロック状態において、ロック係合部が天面壁によって覆われる状態になるから、ロック係合部とロック部との係合状態が不用意に解除されることがない。
【００１３】
なお、上記相手側コネクタは、配線基板に電気接続すべき電線（３１，３２，３３）が結合された電線付きコネクタであってもよい。
また、上記コンタクト収容部は、配線基板に平行に延びていて、上記相手側コネクタの上記配線基板に沿う方向への挿入を受け入れることにより、当該相手側コネクタの端子と上記コンタクトとの電気接続を達成するものであってもよい。
さらに、ロック部は、中間壁の上面から突出したロック突部（５７）であってもよい。また、上記ロック部は、中間壁の上面に穿設された凹部（７７）であってもよい。また、上記ロック部は、中間壁の途中部（相手側コネクタの挿入方向途中部）において、相手側コネクタの挿入方向と交差する方向に延びて形成されたロック段差部（７８）であってもよい。このロック段差部は、上記中間壁において、相手側コネクタの挿入方向に関して上流側に第１面（５６Ａ）を配置し、その下流側に第１面よりも低い第２面（５６Ｂ）を配置し、これらの第１面および第２面の境界部に段差を形成したものであってもよい。
【００１４】
請求項３記載の発明は、請求項１または２記載のロック部付きコネクタが実装された配線基板（２）と、上記ロック部付きコネクタに結合され、上記ロック部と係合するロック係合部を有する電線付きコネクタ（２１，２２，２３）と、上記配線基板、上記電線付きコネクタおよびこの電線付きコネクタに結合された配線（３１，３２，３３）を収容する筐体（３）とを含む電子・電気機器（電子機器または電気機器）である。
【００１５】
この構成によれば、電子・電気機器の配線基板上にロック部付きコネクタが実装されていて、このロック部付きコネクタに電線付きコネクタのロック係合部が係合している。したがって、多数の電線が筐体内で引き回されて、電線付きコネクタに大きな力がかかる場合であっても、この電線付きコネクタと配線基板上にロック部付きコネクタとの間の電気接続を確実に維持できる。これにより、電子・電気機器の信頼性を高めることができる。
【００１６】
また、電子・電気機器に組み込まれる配線基板上において、ロック部付きコネクタが大きな面積を占有することがないから、配線基板上における電気・電子部品のレイアウトが大きく制限されることがない。
上記電子・電気機器は、請求項１または２記載のロック部付きコネクタが実装された配線基板と、上記ロック部付きコネクタに結合され、上記ロック部と係合するロック係合部を有する電線付きコネクタと、上記配線基板とともに筐体内に収容された表示パネル（１）とを含む表示装置であってもよい。この場合、表示パネル上での画像表示のために必要となる多数の電線を筐体内で引き回しても、電線と配線基板との電気接続状態を確実に維持できる。
【００１７】
【発明の実施の形態】
以下では、この発明の実施の形態を、添付図面を参照して詳細に説明する。
図１は、この発明の一実施形態に係るロック部付きコネクタを適用した表示装置の構成を示す図解図である。この表示装置は、液晶表示パネルなどの表示パネル１と、この表示パネル１上での画像表示のための電気・電子部品が実装された配線基板２と、これらを収容した筐体３とを有している。筐体３は、表示パネル１の表示面を表示装置の前方から視認するための窓が形成された前側部３Ａと、この前側部３Ａと結合されることによって、表示パネル１および配線基板２を収容する収容空間を形成する後側部３Ｂとを有している。
【００１８】
配線基板２上には、各種の電子部品および電気部品２Ａが実装されており、さらに、複数のロック部付きコネクタ１１，１２，１３が表面実装されている。このロック部付きコネクタ１１，１２，１３に、電線付きコネクタ２１，２２，２３が結合されている。電線付きコネクタ２１，２２，２３には、電線３１，３２，３３が結合されていて、この電線３１，３２，３３は、筐体３内で引き回されることになる。
【００１９】
複数のロック部付きコネクタ１１，１２，１３は、コンタクトの数（ピン数）が異なっているが、共通の基本構成を有している。たとえば、ロック部付きコネクタ１１は、コンタクト数が８本（８極）のものであり、ロック部付きコネクタ１２は、コンタクト数が２本（２極）のものであり、ロック部付きコネクタ１３は、コンタクト数が１５本（１５極）のものである。したがって、ロック部付きコネクタ１２は最も幅狭に構成されており、ロック部付きコネクタ１３は最も幅広に構成されており、ロック部付きコネクタ１１は、それらの中間的な幅を有している。
【００２０】
図２（ａ）は、ロック部付きコネクタ１１の平面図、図２（ｂ）はその正面図、図２（ｃ）はその右側面図、図２（ｄ）はその底面図、図２（ｅ）はその背面図、図２（ｆ）は図２（ｂ）のＡ−Ａ線断面図である。なお、以下では、配線基板２を水平姿勢とした場合におけるロック部付きコネクタ１１の姿勢を基準に説明する。すなわち、配線基板２に表面実装された状態でロック部付きコネクタ１１を平面視した状態が図２（ａ）に示されている。また、ロック部付きコネクタ１１において、相手側のコネクタである電線付きコネクタ２１に対向する側を正面（前方）として説明する。
【００２１】
ロック部付きコネクタ１１は、ほぼ直方体形状の外形を有する樹脂製のコネクタハウジング５０と、このコネクタハウジング５０に圧入された金属製の複数のコンタクト６０とを有している。
複数のコンタクト６０は、コネクタハウジング５０の前後方向に沿う姿勢で、ほぼ等間隔で左右方向に並置されている。コンタクト６０は、金属板を打ち抜いて形成される電気接続部材であり、相手側のコネクタである電線付きコネクタ２１の端子金具を上下から挟持する一対の挟持部６１，６２と、この一対の挟持部６１，６２を結合する基端部６３と、この基端部６３から下方に延び、さらに配線基板２の表面に沿うように屈曲させられた基板接続部６４とを有している。この基板接続部６４が、配線基板２上のランド部に半田接合されることになる。
【００２２】
一対の挟持部６１，６２のうち、上方側の挟持部６１は、コネクタハウジング５０に装着された状態で、上下方向に沿って弾性的に揺動可能な揺動片であり、その先端部には、電線付きコネクタ２１の端子金具に圧接する圧接部６１ａが形成されている。一方、下方側の挟持部６２は、上方側の挟持部６１と協働して電線付きコネクタ２１の端子金具を挟持する機能を有するとともに、基端部６３寄りの位置にコネクタハウジング５０のコンタクト保持部５２に食い込む係止突起６２ａを有している。
【００２３】
コネクタハウジング５０は、複数のコンタクト６０をそれぞれ前後方向に沿う姿勢で収容するコンタクト収容孔５５と、このコンタクト収容孔５５を上方から区画する中間壁５６と、この中間壁５６の上面に突設されたロック突部５７と、このロック突部５７の上方に設けられた天面壁５８とを備えている。
コンタクト収容孔５５は、コネクタハウジング５０の背面側に形成され複数のコンタクト６０がそれぞれ圧入される複数の圧入孔５１と、この圧入孔５１の前方に形成され電線付きコネクタ２１が嵌合される嵌合孔５３とを有している。
【００２４】
各圧入孔５１は、コンタクト６０の一対の挟持部６１，６２が挿入されるほぼ平行な上下一対の挿入孔５１ａ，５１ｂと、コンタクト６０の基端部６３を収容する基端部収容部５１ｃとを有している。そして、一対の挿入孔５１ａ，５１ｂを隔てるようにコンタクト保持部５２が設けられている。
コンタクト６０をコネクタハウジング５０の後面から圧入孔５１に圧入すると、コンタクト６０の基端部６３の上端縁が基端部収容部５１ｃの天面に当接するとともに、下側の挟持部６２の下方縁が挿入孔５１ｂの底面および嵌合孔５３の底面に当接し、さらに、係止突起６２ａがコンタクト保持部５２に食い込む。これにより、コンタクト６０がコネクタハウジング５０に確実に係止されることになる。この状態では、挟持部６１，６２は、嵌合孔５３内に突出している。
【００２５】
中間壁５６は、配線基板２とほぼ平行に形成されている。より具体的には、図２（ｂ）および図３に示すように、コネクタハウジング５０においてコンタクト収容孔５５の上方には、電線付きコネクタ２１のロック係合部を受け入れるためのロック係合部挿入孔５９が前後方向に沿って貫通形成されている。中間壁５６は、このロック係合部挿入孔５９とコンタクト収容孔５５とを上下に隔てていて、その下面によってコンタクト収容孔５５を区画し、その上面によってロック係合部挿入孔５９を区画している。このロック係合部挿入孔５９の天面が、天面壁５８によって区画されている。
【００２６】
中間壁５６の上面には、ロック係合部挿入孔５９内に、ロック突部５７が突設されている。このロック突部５７は、電線付きコネクタ２１の挿抜方向である前後方向途中部においてコネクタハウジング５０の幅方向（コンタクト６０の並設方向）に延びて形成されている。このロック突部５７には、電線付きコネクタ２１の挿入方向（コネクタ挿入方向）上流側にはロック係合部を案内する案内傾斜面５７ａが形成されており、コネクタ挿入方向下流側にはロック係合部と係合して電線付きコネクタ２１の不用意な脱抜を防止する抜け止め面５７ｃが形成されており、案内傾斜面５７ａと抜け止め面５７ｃとの間は配線基板２に沿う平坦面５７ｂとなっている。
【００２７】
抜け止め面５７ｃは、中間壁５６の上面からほぼ垂直に立ち上がっており、平坦面５７ｂと中間壁５６の上面との間に高低差のある段差部を形成している。
天面壁５８は、その上面に、自動実装機の吸着部材（たとえばエアノズル）７０による吸着のための被吸着面５８ａを有している。この被吸着面５８ａは、配線基板２の表面に沿う平坦面となっている。
図４は、配線基板２側のコネクタであるロック部付きコネクタ１１と電線付きコネクタ２１とを嵌合させた状態を示す断面図である。電線付きコネクタ２１は、樹脂製のハウジング８０と、このハウジング８０に装着された複数本の端子金具９０とを有している。端子金具９０は、予め電線３１が圧着され、その状態でハウジング８０に圧入されることによって、ハウジング８０に装着される。
【００２８】
ハウジング８０は、端子金具９０を収容するための端子金具収容孔８３が形成された本体部８１を配線基板２側に有し、ロック部付きコネクタ１１のロック突部５７とのロック係合のためのロック係合部８２を上面側に有している。
ロック係合部８２は、前後方向中間部に設けられた支点部８２ａを介して本体部８１に結合されている。このロック係合部８２は、支点部８２ａよりもロック部付きコネクタ１１側（電線３１とは反対側）の先端部に、下方に突出したロック爪８２ｂを有し、支点部８２ａよりも電線３１側の後端部に、ロック状態の解除のための操作部８２ｃを有している。支点部８２ａは、ロック爪８２ｂが上下動する方向へのロック係合部８２の弾性的な揺動を許容する状態で、このロック係合部８２を本体部８１に結合している。
【００２９】
電線付きコネクタ２１をロック部付きコネクタ１１に挿入するとき、ハウジング８０において端子金具９０を保持している嵌合部８５をロック部付きコネクタ１１の嵌合孔５３に合わせる。すると、ロック係合部８２がロック係合部挿入孔５９に整合する。この状態で、電線付きコネクタ２１をロック部付きコネクタ１１に向かって挿入すると、端子金具９０は、コンタクト６０の上側の挟持部６１を上方（挟持部６１，６２間を拡開させる方向）へと弾性変形させながら、一対の挟持部６１，６２間に入り込む。これにより、挟持部６１の圧接部６１ａが端子金具９０に圧接され、配線基板２と電線３１との間には、端子金具９０およびコンタクト６０を介する電路が形成される。
【００３０】
一方、ロック係合部８２のロック爪８２ｂは、ロック突部５７の案内傾斜面５７ａによって平坦面５７ｂへと案内されることにより、ロック突部５７を乗り越える。これにより、ロック爪８２ｂの規制面８６がロック突部５７の抜け止め面５７ｃと係合して、図４に示すロック状態に至る。これにより、電線付きコネクタ２１とロック部付きコネクタ１１との結合状態がロックされる。このとき、ロック係合部８２は、ロック部付きコネクタ１１の天面壁５８によって覆われるから、ロック係合部８２とロック突部５７との係合が不用意に解除されることを防止できる。
【００３１】
電線付きコネクタ２１をロック部付きコネクタ１１から取り外すときには、操作者は、ロック係合部８２の操作部８２ｃを本体部８１に向けて（配線基板２側に向けて）押し下げる。これにより、ロック係合部８２が支点部８２ａを中心に回動し、ロック爪８２ｂは、コネクタハウジング５０の中間壁５６の上面から離れる方向である上方へと持ち上げられ、ロック突部５７との係合状態が解除される。この状態で、操作者が、電線付きコネクタ２１を脱抜方向へ引き出すと、嵌合部８５と嵌合孔５３との嵌合状態が解除され、電線付きコネクタ２１とロック部付きコネクタ１１とを引き離すことができる。
【００３２】
ロック部付きコネクタ１１は、図５に示すように、エンボスキャリアテープ１００に保持された状態で市場に供給される。エンボスキャリアテープ１００は、キャリアテープ本体１０１と、このキャリアテープ本体１０１に剥離可能に貼着された保護シート１０２とを備えている。キャリアテープ本体１０１は、ロック部付きコネクタ１１を１個ずつ収容する容器状のケース部１０３を長手方向に沿って間隔を開けて連成した帯状体である。ロック部付きコネクタ１１は、配線基板２を水平に配置したときの当該ロック部付きコネクタ１１の実装状態の姿勢と同姿勢でキャリアテープ本体１０１のケース部１０３に収容されている。すなわち、ロック部付きコネクタ１１は、キャリアテープ１００を保護シート１０２が上方に位置するように水平に延在させた状態で、天面壁５８の上面に形成された被吸着面５８ａがケース部１０３の上部開口から上方に臨むように収容されている。
【００３３】
ロック部付きコネクタ１１を配線基板２に自動実装するための自動実装機は、エンボスキャリアテープ１００をリールから引き出して水平に順送りする順送り機構と、この順送り機構の動作とタイミングを合わせて保護シート１０２を巻き取る保護シート巻き取り機構とを備えている。順送り機構は、保護シート１０２が上側となるようにエンボスキャリアテープ１００を水平に延在させる。その状態で、保護シート巻き取り機構によって保護シート１０２が巻き取られることにより、保護シート１０２がキャリアテープ本体１０１から剥離されていき、ケース部１０３の上部開口からロック部付きコネクタ１１の被吸着面５８ａが上方側に露出されることになる。この露出された被吸着面５８ａが、自動実装機の吸着部材７０によって吸着保持される。吸着部材７０は、吸着部材駆動機構に結合されており、この吸着部材駆動機構は、所定の吸着位置に導かれたケース部１０３へと吸着部材７０を移動させて当該ケース部１０３に収容されたロック部付きコネクタ１１を吸着保持させた後、吸着部材７０を上方に移動させてロック部付きコネクタ１１をケース部１０３から取り出す。その後、吸着部材駆動機構は、吸着部材７０を配線基板配置部へと移動させ、この配線基板配置部に予め配置されている配線基板２上の所定位置にロック部付きコネクタ１１を搬送する。その後、吸着部材７０による被吸着面５８ａの吸着が解除されることにより、ロック部付きコネクタ１１が配線基板２上に実装されることになる。
【００３４】
配線基板２上のランドには予めクリーム半田が配置されていて、このクリーム半田にコンタクト６０が接触するように、ロック部付きコネクタ１１が実装される。この状態の配線基板２をリフロー槽に通すことにより、クリーム半田が溶融し、その後の冷却工程を経て半田が硬化することによって、コンタクト６０と配線基板２との永久接合が達成される。
図２（ｂ）に示すように、コネクタハウジング５０の幅方向両端部には、コネクタハウジング５０の前方から補強タブ７５，７５が圧入されている。これらの補強タブ７５，７５もまた、配線基板２上の導体パターンに半田接合される。したがって、コネクタハウジング５０は、コンタクト６０および補強タブ７５，７５の半田接合によって、配線基板２上に強固に接合されることになる。補強タブ７５，７５は、コネクタハウジング５０に加わる外力に耐えて、コンタクト６０が配線基板２から剥離されることを防止する。
【００３５】
以上のように、この実施形態によれば、ロック部付きコネクタ１１は、上面に平坦な被吸着面５８ａを有しているから、自動実装機の吸着部材７０による上方からの吸着保持が可能である。これにより、ロック構造を備えていながら、自動実装にも良好に適合できる。
また、ロック突部５７は、中間壁５６の上面に突出しているから、配線基板２上におけるコネクタハウジング５０の専有面積には影響がなく、配線基板２上の電子・電気部品のレイアウトに大きな制限が加わるおそれはない。
【００３６】
よって、上述のようなロック部付きコネクタ１１を採用した表示装置では、配線基板２へのロック部付きコネクタの実装工程を自動実装機を用いて行えるので、その生産性がよく、また、配線基板２上における電子・電気部品のレイアウトに関する設計の自由度が高い。加えて、ロック部付きコネクタ１１を用いているから、筐体３内での配線の引き回しに起因して、電線付きコネクタ２１と配線基板２との電気接続が不用意に解除されてしまうことがないから、信頼性の高い表示装置を実現できる。
【００３７】
図６（ａ）（ｂ）は、ロック部付きコネクタ１１とともに配線基板２上に実装されるロック部付きコネクタ１２，１３の各平面図である。２極型のロック部付きコネクタ１２は、その幅（コンタクト並置方向の長さ）が短いが、ロック突部５７（図３参照）の上方に天面壁５８を設けてその上面を被吸着面５８ａとしているから、この被吸着面５８ａは、吸着部材７０による吸着に要する大きさを有することができる。
【００３８】
以上、この発明の一実施形態について説明したが、この発明は他の形態でも実施することができる。たとえば、ロック部付きコネクタ１１の中間壁５６に設けられるロック部は、図７（ａ）に示すようなロック凹部７７であってもよいし、図７（ｂ）に示すロック段差部７８であってもよい。ロック凹部７７は、中間壁５６の上面に穿設されており、ロック爪８２ｂの抜け止めを防ぐ抜け止め面７７ａを電線付きコネクタ２１の挿入方向上流側に有している。また、ロック段差部７８は、中間壁５６のコネクタ挿入方向途中部において、コネクタ挿入方向と直交する方向に延びて形成されており、コネクタ挿入方向上流側の第１面５６Ａと、コネクタ挿入方向下流側の第２面（第１面よりも低い面）５６Ｂとの間に、ロック爪８２ｂに係合して電線付きコネクタ２１の抜け止めを実現する段差面（抜け止め面）を形成している。
【００３９】
このように、中間壁５６にどのような形態のロック段部（ロック突部５７、ロック凹部７７、またはロック段差部７８）を形成した構成であっても、その上方の天面壁５８の上面の被吸着面５８ａにおいて、吸着部材７０による吸着保持が可能である。
さらに、上記の実施形態では、表示装置に用いられる表示パネルとして、液晶表示パネルを例にとったが、液晶表示パネルだけでなく、プラズマディスプレイパネルやＥＬ表示パネルなどのフラットディスプレイパネルを用いた表示装置に対しても、この発明を同様に適用することができる。
【００４０】
また、表示装置だけでなく、ロック部付きコネクタを実装した配線基板を筐体内に収容した構成の電子・電気機器においても、上述のようなロック部付きコネクタを適用することにより、信頼性が高く、かつ設計の自由度の高い機器を実現できる。
その他、特許請求の範囲に記載された事項の範囲で種々の設計変更を施すことが可能である。
【図面の簡単な説明】
【図１】この発明の一実施形態に係るロック部付きコネクタを適用した表示装置の構成を示す図解図的な分解斜視図である。
【図２】（ａ）はロック部付きコネクタの平面図、（ｂ）はその正面図、（ｃ）はその右側面図、（ｄ）はその底面図、（ｅ）はその背面図である。
【図３】図２（ｂ）のＡ−Ａ線断面図である。
【図４】配線基板側のコネクタであるロック部付きコネクタと電線付きコネクタとを嵌合させた状態を示す断面図である。
【図５】ロック部付きコネクタの自動実装機による実装を説明するための断面図である。
【図６】他のロック部付きコネクタの平面図である。
【図７】ロック部の他の構成例を説明するための断面図である。
【符号の説明】
１      表示パネル
２      配線基板
２Ａ    電子・電気部品
３      筐体
３Ａ    前側部
３Ｂ    後側部
１１，１２，１３    ロック部付きコネクタ（基板側コネクタ）
２１，２２，２３    電線付きコネクタ
３１，３２，３３    電線
５０    コネクタハウジング
５１    圧入孔
５１ａ，５１ｂ    挿入孔
５１ｃ  基端部収容部
５２    コンタクト保持部
５３    嵌合孔
５５    コンタクト収容孔
５６    中間壁
５７    ロック突部
５７ａ  案内傾斜面
５７ｂ  平坦面
５７ｃ  抜け止め面
５８    天面壁
５８ａ  被吸着面
５９    ロック係合部挿入孔
６０    コンタクト
６１，６２    挟持部
６１ａ  圧接部
６２ａ  係止突起
６３    基端部
６４    基板接続部
７０    吸着部材
７５    補強タブ
７７    ロック凹部
７７ａ  抜け止め面
７８    ロック段差部
８０    ハウジング
８１    本体部
８２    ロック係合部
８２ａ  支点部
８２ｂ  ロック爪
８２ｃ  操作部
８３    端子金具収容孔
８５    嵌合部
８６    規制面
９０    端子金具
１００  エンボスキャリアテープ
１０１  キャリアテープ本体
１０２  保護シート
１０３  ケース部
【図１】
2005026156.tif 000003
【図２】
2005026156.tif 000004
【図３】
2005026156.tif 000005
【図４】
2005026156.tif 000006
【図５】
2005026156.tif 000007
【図６】
2005026156.tif 000008
【図７】
2005026156.tif 000009